【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】  オークションにかけられた商品を入札するためのオークションシステムにおける方法であって、
前記商品に対する付け値を提出する要求をユーザから受信するステップと、
前記受信された要求が自動認証情報を含む場合、前記自動認証情報に基づき前記ユーザを自動的に認証するステップと、
前記ユーザを自動的に認証することができる場合、前記ユーザに代わり入札を行うステップと、
前記ユーザを自動的に認証することができない場合、
前記ユーザを手動で認証し、
前記ユーザが手動で認証することができる場合、前記ユーザに代わり入札を行うステップと
を備えたことを特徴とする方法。
【請求項２】  前記受信された要求は、前記ユーザのコンピュータに記憶されたクッキーからの自動認証情報を含むことを特徴とする請求項１に記載の方法。
【請求項３】  前記受信された自動認証情報に基づき前記ユーザを自動的に認証するステップは、
前記受信された要求からユーザ識別子を取り出すステップと、
前記ユーザ識別子が登録されたユーザを識別するか判断するステップと
を含むことを特徴とする請求項１に記載の方法。
【請求項４】  前記ユーザ識別子により識別されたユーザを、付け値を提出するために認証するか判断するステップを含むことを特徴とする請求項３に記載の方法。
【請求項５】  前記ユーザを手動で認証する前に、前記付け値が受け入れ可能であるか判断するステップを含むことを特徴とする請求項１に記載の方法。
【請求項６】  前記ユーザを手動で認証することができない場合、前記ユーザを登録するステップを含むことを特徴とする請求項１に記載の方法。
【請求項７】  前記商品に対する付け値を提出する要求を前記ユーザから受信する前に、オークションすべき商品を特定し、かつ前記商品に対し提案された付け値の額で付け値を提出することを要求するための表示記述を前記ユーザに送信するステップを含むことを特徴とする請求項１に記載の方法。
【請求項８】  前記ユーザに代わり入札を行う前に、前記入札を行うための確認を要求する表示記述を前記ユーザに送信するステップを含むことを特徴とする請求項１に記載の方法。
【請求項９】  手動認証は、認証情報を要求する表示記述を前記ユーザに送信するステップと、前記ユーザから認証情報を受信するステップと、前記受信された認証情報に基づき前記ユーザを認証することができるか判断するステップとを含むことを特徴とする請求項１に記載の方法。
【請求項１０】  前記ユーザの手動認証の後で、半自動的な認証を使用して前記ユーザに代わり後続の入札が行われることを特徴とする請求項１に記載の方法。
【請求項１１】  一定時間の経過後に、手動認証の有効期限が終了することを特徴とする請求項１に記載の方法。
【請求項１２】  前記ユーザにより入札が最後に行われたときに基づいて、前記手動認証の有効期限が終了することを特徴とする請求項１に記載の方法。
【請求項１３】  前記ユーザが前記オークションシステムと最後に対話したときに基づいて、前記手動認証の有効期限が終了することを特徴とする請求項１に記載の方法。
【請求項１４】  前記ユーザの前記オークションシステムとの過去の対話に基づいて決定された時間の経過後に、前記手動認証の有効期限が終了することを特徴とする請求項１に記載の方法。
【請求項１５】  前記ユーザが前記手動認証の有効期限に関する条件を指定することを特徴とする請求項１に記載の方法。
【請求項１６】  前記商品に対する付け値を提出する要求を前記ユーザから受信する前に、オークションすべき商品を特定し、かつ前記商品に対する付け値を提出することを要求するための表示記述を前記ユーザに送信するステップを含み、前記送信された表示記述は手動認証情報の要求を含まないことを特徴とする請求項１に記載の方法。
【請求項１７】  商品に対する付け値を提出する要求をユーザから受信するステップと、
前記受信された要求に基づき前記ユーザを自動的に認証するステップと、
前記ユーザを自動的に認証することができない場合、前記ユーザを手動で認証するステップと、
前記ユーザを認証した後、前記ユーザに代わり入札を行うステップと
を備えた方法により、オークションにかけられた商品の入札を行うコンピュータシステムを制御する命令を含むことを特徴とするコンピュータ読取可能な記録媒体。
【請求項１８】  前記受信された要求は、前記ユーザのコンピュータに記憶されたクッキーからの自動認証情報を含むことを特徴とする請求項１７に記載のコンピュータ読取り可能な記録媒体。
【請求項１９】  前記受信された要求に基づき前記ユーザを自動的に認証するステップは、
前記受信された要求からユーザ識別子を取り出すステップと、
前記ユーザ識別子が登録されたユーザを識別するか判断するステップと
を含むことを特徴とする請求項１７に記載のコンピュータ読取り可能な記録媒体。
【請求項２０】  前記ユーザを手動で認証する前に、前記付け値が受け入れ可能か判断するステップを含むことを特徴とする請求項１７に記載のコンピュータ読取可能な記録媒体。
【請求項２１】  前記ユーザが手動で認証されない場合、前記ユーザを登録するステップを含むことを特徴とする請求項１７に記載のコンピュータ読取可能な記録媒体。
【請求項２２】  請求項１７に記載のコンピュータ読取り可能な記録媒体において、前記商品に対する付け値を提出する要求を前記ユーザから受信する前に、オークションすべき商品を特定し、かつ前記商品に対し提案された付け値の額で付け値を提出することを要求するための表示記述を前記ユーザに送信するステップを含むことを特徴とするコンピュータ読取可能な記録媒体。
【請求項２３】  前記ユーザに代わり入札を行う前に、前記入札を行うための確認を前記ユーザから要求するステップを含むことを特徴とする請求項１７に記載のコンピュータ読取可能な記録媒体。
【請求項２４】  手動認証は、認証情報を要求する表示記述を前記ユーザに送信するステップと、認証情報を前記ユーザから受信するステップと、前記受信された認証情報に基づき前記ユーザを認証することができるか判断するステップとを含むことを特徴とする請求項１７に記載のコンピュータ読取可能な記録媒体。
【請求項２５】  前記ユーザの手動認証の後、半自動認証を使用して前記ユーザに代わり後続の入札が行われることを特徴とする請求項１７に記載のコンピュータ読取可能な記録媒体。
【請求項２６】  一定期間の経過後に、前記手動認証の有効期限が終了することを特徴とする請求項１７に記載のコンピュータ読取可能な記録媒体。
【請求項２７】  前記ユーザにより入札が最後に提出されたときに基づいて、前記手動認証の有効期限が終了することを特徴とする請求項１７に記載のコンピュータ読取可能な記録媒体。
【請求項２８】  前記ユーザが前記オークションシステムと最後に対話したときに基づいて、前記手動認証の有効期限が終了することを特徴とする請求項１７に記載のコンピュータ読取可能な記録媒体。
【請求項２９】  前記ユーザの過去の対話に基づき決定された期間の経過後に、前記手動認証の有効期限が終了することを特徴とする請求項１７に記載のコンピュータ読取可能な記録媒体。
【請求項３０】  前記ユーザが前記手動認証の有効期限に関する条件を指定することを特徴とする請求項１７に記載のコンピュータ読取可能な記録媒体。
【請求項３１】  前記商品に関する付け値を提出する要求を前記ユーザから受信する前に、オークションすべき商品を特定し、かつ前記商品に関する付け値を提出することを要求するための表示記述を前記ユーザに送信するステップを含み、前記送信された表示記述は、手動認証情報の要求を含まないことを特徴とする請求項１７に記載のコンピュータ読取可能な記録媒体。
【請求項３２】  オークションすべき商品を特定するための表示記述を送信するコンポーネントと、
付け値を提出する要求を受信するコンポーネントと、
前記受信された要求内の情報に基づき前記付け値を提出することを要求するユーザを認証することができるか判断するコンポーネントと、
前記受信された要求内の情報に基づき前記ユーザを認証することができない場合、認証情報の要求を送信するコンポーネントと、
認証情報を受信するコンポーネントと、
前記受信された認証情報に基づき前記ユーザを認証することができるか判断するコンポーネントと、
前記ユーザを認証することができる場合、前記ユーザに代わり前記入札を行うコンポーネントと
を備えたことを特徴とするオークションシステム。
【請求項３３】  前記受信された要求は、前記ユーザのコンピュータのクッキーに記憶された情報を含むことを特徴とする請求項３２に記載のオークションシステム。
【請求項３４】  前記受信された要求内の情報に基づいて前記ユーザを認証することができるか判断するコンポーネントは、前記受信された要求からユーザ識別子を取り出し、前記ユーザ識別子が登録されたユーザを識別するか判断することを特徴とする請求項３２に記載のオークションシステム。
【請求項３５】  前記認証情報の要求を送信する前に、前記付け値が受け入れ可能か判断するコンポーネントを含むことを特徴とする請求項３２に記載のオークションシステム。
【請求項３６】  認証情報の要求を送信した後、前記ユーザを登録するコンポーネントを含むことを特徴とする請求項３２に記載のオークションシステム。
【請求項３７】  前記商品を特定するユーザに送信された表示記述に提案された付け値の額が含まれていることを特徴とする請求項３２に記載のオークションシステム。
【請求項３８】  前記入札を行うための確認を要求するコンポーネントを含むことを特徴とする請求項３２に記載のオークションシステム。
【請求項３９】  前記受信された認証情報に基づく認証は、一定時間の経過後に有効期限が終了することを特徴とする請求項３２に記載のオークションシステム。
【請求項４０】  前記受信された認証情報に基づく認証は、前記ユーザにより入札が最後に行われたときに基づいて有効期限が終了することを特徴とする請求項３２に記載のオークションシステム。
【請求項４１】  前記受信された認証情報に基づく認証は、前記ユーザが前記オークションシステムと最後に対話したときに基づいて有効期限が終了することを特徴とする請求項３２に記載のオークションシステム。
【請求項４２】  前記受信された認証情報に基づく認証は、前記ユーザの前記オークションシステムとの過去の対話に基づき決定された期間の経過後に有効期限が終了することを特徴とする請求項３２に記載のオークションシステム。
【請求項４３】  前記ユーザが前記受信された認証情報に基づく認証の有効期限に関する条件を指定することを特徴とする請求項３２に記載のオークションシステム。
【請求項４４】  オークションすべき商品を特定する表示記述は認証情報の要求を含まないことを特徴とする請求項３２に記載のオークションシステム。